(57)【要約】【課題】本の見開きが何処からでも読めてエンドレスで理解出来た時点が終わりとする、老若男女が自然界のコンテンツを知り、もっと理解ができるようにする。【解決手段】本発明の本は、頁を構成する本部材と、本部材の端辺に設けられ他の本部材の端辺と結合されるつなぎ部とを備え、つなぎ部は、本部材の端辺からノド部までの距離が所定の距離を有する。【選択図】図７
2020179664.tif 000002
【特許請求の範囲】
【請求項１】
頁を構成する本部材と、前記本部材の端辺に設けられ他の前記本部材の端辺と結合されるつなぎ部とを備え、前記つなぎ部は、前記本部材の端辺からノド部までの距離が所定の距離を有する本。
【請求項２】
前記所定の距離が、前記本部材を積層させた厚さの半分を有する請求の範囲第１項記載の本。
【請求項３】
前記つなぎ部は、少なくとも２つの前記本部材を結合している請求項１記載の本。
【発明の詳細な説明】
【技術分野】
【０００１】
本発明は、どの頁からでもストーリーを読むことのできる本に関するものである。      
【背景技術】
【０００２】
従来の本は、例えば、特許文献１に開示されたように、表表紙と裏表紙と、これらの間に綴じられる複数枚の紙葉とから構成されている。特許文献１に記載された本は、どの頁からでも本を開くことはできるが、表表紙を開いてストーリーが始まり、ストーリーが終わると裏表紙を閉じる、一般的な本と同じである。
【先行技術文献】
【特許文献】
【０００３】
【特許文献１】実開平６−２１６９９
【発明の概要】
【発明が解決しようとする課題】
【０００４】
従来の本は、表表紙から読み始めて最後の頁に向かって物語が展開していく、終わりのあるエンドストーリーである。したがって、途中から見開きができてもストーリーの内容が分らなければ本とは言い難い。
また、従来の本は、読めばストーリーを理解できるが、単なるエンドストーリーのワンステージで本の最後の頁では子供も大人もストーリーの終わりと考えるのが常識であり、終わりから次のステージの展開は考えられない。
本発明は、表表紙および裏表紙がなく、どの頁からでも物語を読むことのでき、終わりのないストーリーの本を作成することのできる本を提供するものである。
【課題を解決するための手段】
【０００５】
本発明の本は、頁を構成する本部材と、前記本部材の端辺に設けられ他の前記本部材の端辺と結合されるつなぎ部とを備え、前記つなぎ部は、前記本部材の端辺からノド部までの距離が所定の距離を有する。
また、本発明の本は、前記所定の距離が、前記本部材を積層させた厚さの半分を有する。
さらに、本発明の本は、前記つなぎ部は、少なくとも２つの前記本部材を結合している。
【発明の効果】
【０００６】
本発明によれば、表表紙および裏表紙がなく、どの頁からでも物語を読むことができ、終わりのないストーリーの本を作成することができる。
【図面の簡単な説明】
【０００７】
【図１】本発明の実施の形態の絵本の要部を示す平面図。
【図２】本発明の実施の形態の絵本の斜視図。
【図３】本発明の実施の形態の絵本の閉じた状態を示す平面図。
【図４】本発明の他の実施の形態の絵本の要部を示す平面図。
【図５】本発明の他の実施の形態の絵本の要部を示す平面図。
【図６】本発明の他の実施の形態の絵本の要部を示す平面図。
【図７】本発明の他の実施の形態の絵本の斜視図。
【図８】本発明のさらに他の実施の形態の絵本の要部を示す平面図。
【図９】本発明のさらに他の実施の形態の絵本の要部を示す平面図。
【図１０】本発明の別の実施の形態の絵本の要部を示す平面図である。
【図１１】本発明のさらに別の実施の形態の絵本の要部を示す正面図である。
【図１２】本発明のまたさらに他の実施の形態を示す平面図である。
【図１３】図１２で示す単位部材Ｃを２つ綴じた絵本を示す平面図である。
【図１４】本発明のまたさらに別の実施の形態を示す平面図である。
【発明を実施するための形態】
【０００８】
（実施の形態１）
以下、絵本を例にした本発明の実施の形態について説明する。図１は、本発明の実施の形態の絵本の要部を示す平面図、図２は、本発明の実施の形態の絵本の斜視図である。
本は、一般的に、表表紙と、裏表紙と、これらの間に位置して本の中身を構成する紙葉である本部材（各頁に相当）とから構成され、表表紙、裏表紙、本部材を見開いたときのノド部を有している。
【０００９】
図１、図２において、本実施の形態の絵本は、頁を構成する本部材１と、本部材１の端辺１ａに設けられ他の本部材２の端辺２ａと結合されるつなぎ部３とを備える。つなぎ部３は、本部材１の端辺１ａからノド部３ａまでの距離が所定の距離７を有する。所定の距離７は、本部材１、２を積層させた厚さの半分である。
つなぎ部３は、少なくとも２つの本部材１、２を結合している。なお、ノド部３ａは、頁を構成する本部材１、２を見開いたときの中心部である。すなわち、ノド部３ａは、つなぎ部３における、本部材１の端辺１ａから本部材２の端辺２ａまでの距離の１／２に位置する、端辺１ａ（２ａ）に沿った部分である。したがって、つなぎ部３は、本部材１（２）の端辺１ａ（２ａ）からノド部３ａまでの距離が、本部材１、２を積層させた厚さの半分である所定の距離７を有する。
【００１０】
つなぎ部３は、本部材１の端辺１ａを上下にわたって貼り付けた貼り部１１と、本部材２の端辺２ａを上下にわたって貼り付けた貼り部１２と、貼り部１１、１２を繋ぐ繋ぎ生地１３とから構成される。したがって、本実施の形態では、つなぎ部３の幅は、貼り部１１の幅と、貼り部１２の幅と、繋ぎ生地１３の幅とを合計した長さとなる。
しかしながら、本部材１、２の補強や汚れ防止のため、貼り部１１、１２で本部材１、２の表面全面を覆うことも可能である。
【００１１】
本部材１、２の材質は、紙や布など、一般の書籍と同様のものを用いることができる。
しかし、これだけでなく、印刷が可能な材料、例えば、粉砕した木材、金属、樹脂などを用いることができる。つなぎ部３も同様の材料を用いることができる。
【００１２】
図１、図２に示す構成により単位部材Ｍからなる絵本が完成する。このとき、つなぎ部３は、本部材１の端辺１ａからノド部３ａまでの距離が所定の距離７を有するので、単位部材Ｍを図２に示すように閉じたとしても、本部材１、２は、どの部分も浮き上がることはなく、通常の一般の本と同様の状態で閉じることができる。
【００１３】
このような単位部材Ｍの構成からなる絵本において、本部材１の表裏面と本部材２の表裏面の４面を用いてエンドレスストーリーを描ける。例えば、卵、ひよこ、鶏１羽、鶏２羽、をこの順番に本部材１、２の両面に描くことにより、卵からひよこが誕生し、ひよこが鶏に成長し、鶏が卵を産み、再度卵からひよこが誕生する、のようなエンドレスストーリーを描くことができる。
【００１４】
本実施の形態では、従来の本のように表表紙も裏表紙も存在しない。本を開いたとき、上記のストーリーでは、卵から始まってもストーリーが構成できるし、鶏から始まってもストーリーが構成できるし、ひよこから始まってもストーリーが構成できる。なお、エンドレスストーリーであるため、各頁には頁番号を付けなくても良い。
【００１５】
このストーリーは、どこから読んでも１つのストーリーを構成するので、本実施の形態のように、表表紙も裏表紙もない構成であれば、そのストーリーの機能を十分発揮することができる絵本が得られる。
【００１６】
図１、図２では、１つの単位部材Ｍのみからなる絵本を示したが、２つの単位部材Ｍ、Ｎを用意し、図３に示すように、単位部材Ｍをそれぞれのノド部３ａで結合することにより、本部材１、２が合計４枚、すなわち８頁の絵本を構成できる。同様に多数の単位部材Ｍをノド部３ａで結合することにより、長編のエンドレスストーリーを有する絵本を構成できる。
【００１７】
単位部材Ｍを結合するには、各ノド部３ａを糸や紐で綴じる、また、各ノド部３ａを接着材や粘着剤で貼り合わせる、あるいは熱で溶着する、などの方法を採用することができる。
【００１８】
また、ノド部３ａに、縦方向に単位部材Ｍを結合するための穴を１つ以上設けることにより、上記以外にリングなどを用いて単位部材Ｍ、すなわち多数の本部材１、２を結合することができる。
【００１９】
上記の実施の形態では、本部材１、２の端辺１ａ、２ａの両面を、つなぎ部３の貼り部１１、１２で挟んで貼り付けて、本部材１、２結合したが、これ以外に以下のようにして本部材１、２を結合することができる。
【００２０】
例えば、図４に示すように、本部材２１、２２の端辺２１ａ、２２ａを厚さ方向に割き、その割いた部分につなぎ部２５の両端を割り込ませて、つなぎ部２５の両端の貼り部２９、３０を本部材２１、２２で挟んで貼り付けることにより、本部材２１、２２を結合することができる。すなわち、本実施の形態では、つなぎ部２５は、貼り部２９、３０とこれらをつなぐ繋ぎ生地２３とから構成され、ノド部２５ａは繋ぎ生地２３の中心に位置する。
【００２１】
本実施の形態では、補強のため、本部材２１、２２を薄紙２６、２７で覆うことも可能である。この場合、繋ぎ生地２３の表面も含めて、１枚の薄紙２６（２７）を本部材２１、２２の表面を覆うことも可能である。薄紙２６、２７の材質も本部材２１、２２と同様のものを用いることができる。
【００２２】
本実施の形態でも、多数の単位部材Ｍを用意し、それぞれのつなぎ部２５のノド部２５ａを結合することにより、図３に示すような、多数頁からなる絵本が得られる。
本実施の形態の場合、つなぎ部２５は、本部材２１（２２）の端辺２１ａ（２２ａ）からノド部２５ａまでの距離（所定の距離２８）が、本部材２１（２２）を積層させた厚さの半分を有する。
【００２３】
また、図５に示すように、厚さの薄い本部材３１〜３４を用意し、本部材３１と本部材３３の端辺３１ａ、３３ａでつなぎ部３５の一辺を挟んで貼り合わせ、貼り部３６、３７を形成する。同様に、本部材３２と本部材３４の端辺３２ａ、３４ａでつなぎ部３５の他辺を挟んで貼り合わせ、貼り部３７を形成する。これにより、本部材３１〜３４を結合することができる
すなわち、本実施の形態では、つなぎ部３５は、貼り部３６、３７とこれらをつなぐ繋ぎ生地３９とから構成され、ノド部３５ａは繋ぎ生地３９の中心に位置する。
本実施の形態でも、多数の単位部材Ｍを用意し、それぞれのつなぎ部３５のノド部３５ａを結合することにより、図３に示すような、多数頁からなる絵本が得られる。
本実施の形態の場合、つなぎ部３５は、本部材３１（３２〜３４）の端辺３１ａ（３２ａ〜３４ａ）からノド部３５ａまでの距離（所定の距離３８）が、本部材３１（３２〜３４）を積層させた厚さの半分を有する。
【００２４】
以上の実施の形態では、２枚の本部材１、２、本部材２１、２２、本部材３１〜３４をそれぞれ結合して単位部材Ｍを形成したが、例えば４枚の本部材で単位部材を構成することも可能である。
【００２５】
図６は、本発明の他の実施の形態の絵本の要部を示す平面図、図７は、本発明の他の実施の形態の絵本の斜視図であって、本部材７１、７２、７３、７４を備えている。つなぎ部７５は、平面視で放射状に伸びるつなぎ部片７５ａ〜７５ｄを有する繋ぎ生地７６と、つなぎ部片７５ａ〜７５ｄの端部に形成された貼り部７７〜８０とから構成される。貼り部７７〜８０は、図１と同様に、それぞれ、本部材７１〜７４の端辺７１ａ〜７４ａを上下にわたって挟んで貼り付けている。
【００２６】
ノド部７５ｅは、平面視で放射状に伸びるつなぎ部片７５ａ〜７５ｄの放射中心線に位置している。本部材７１〜７４のそれぞれ端辺７１ａ  〜７４ａからノド部７５ｅまでの距離が、所定の距離７８を有する。本実施の形態の場合、４つの本部材７１〜７４により本が構成されるので、所定の距離７８は本部材７１〜７４を積層した厚さの半分である。したがって、ノド部７５ｅから貼り部７７〜８０の先端部までの距離は所定の距離７８よりも長くなる。    
【００２７】
以上のような構成により、単位部材Ｎが得られる。このような構成であっても、１つの単位部材Ｎの各頁を閉じることにより、図３に示すように、本部材７１〜７４は、どの部分も浮き上がることはなく、通常の一般の本と同様の状態で閉じることができる絵本が得られる。本実施の形態によれば、本部材７１〜７４のそれぞれの表裏面を用いてストーリーを描けば、８頁分のエンドレスストーリーの絵本が得られる。
また、本実施の形態においても、単位部材Ｎを多数個用意し、それぞれのノド部７５ｅを結合することにより、８頁分以上の頁を用いたエンドレスストーリーの絵本が得られる。
【００２８】
（実施の形態２）
図８は、本発明のさらに他の実施の形態の絵本の要部を示す平面図である。本実施の形態では、本部材８１の端辺８１ａの表裏に、図８に示すように、１つのつなぎ部８２の両端を折り返して貼りあわせる。つなぎ部８２は、本部材８１の端辺８１ａに貼り付けられる貼り部８３と、つなぎ部８２の折り返された中間部分で互いに貼り合わされる繋ぎ生地８４と、つなぎ部８２の折り返し部分である中空部８５とから構成される。中空部８５には、糸、紐、針金などの差し込み部材８６が差し込まれている。以上により、本実施の形態の単位部材Ｋが構成される。
【００２９】
このように構成された単位部材Ｋの複数個が、糸などの差し込み部材８６によって束ねられてそれぞれの本部材８１が結合される。すなわち、本部材８１が４枚の場合は、各頁を閉じると、図３に示すような閉じた状態の絵本が得られる。したがって、本実施の形態では、２つの本部材８１を見開いた部分であるつなぎ部８２にノド部８２ａが位置する。
この場合も、複数の本部材８１が重ねて閉じられたときに、各本部材８１が傾いて閉じられないように、つなぎ部８２、特に繋ぎ生地８４の幅（本部材８１の端辺８１ａからノド部８２ａまでの距離８８）が設定される。すなわち、本実施の形態でも、つなぎ部８２は、本部材８１の端辺８１ａからノド部８２ａまでの距離（所定の距離８８）が、本部材８１を積層させた厚さの半分を有する。
【００３０】
なお、図９に示すように、図８における中空部８５をなくし、本部材９１の端辺９１ａの表裏に、つなぎ部９２を折り返した両端部を貼り付けて貼り部９３として、単位部材Ｌを構成することも可能である。
【００３１】
本実施例の場合、図８で説明した中空部８５がないため、複数の本部材９１の折り返し部９５を接着剤などにより、固着して綴じることにより、複数頁の絵本が得られる。
本実施の形態では、折り返し部９５の端部にノド部９２ａが形成される。本実施の形態においても、つなぎ部９２は、本部材９１の端辺９１ａからノド部９２ａまでの距離（所定の距離９８）が、本部材９１を積層させた厚さの半分を有する。すなわち、本実施の形態では、所定の距離９８が繋ぎ生地９４の幅に相当する。
【００３２】
また、図８、図９において、繋ぎ生地８４、９４のノド部８２ａ、９２ａ近傍に、縦方向に単位部材Ｋ、Ｌを結合するための穴を、１つ以上設けることにより、単位部材Ｋ、Ｌ、すなわち多数の本部材を結合することができる。
【００３３】
以上のような構成により、多数の単位部材Ｌを結合させることにより、多数の本部材９１が重ねて閉じられるときに、各本部材９１が傾いて閉じられることのない、エンドレスストーリーの絵本が得られる。
【００３４】
（実施の形態３）
図１０は、本発明の別の実施の形態の絵本の要部を示す平面図である。
【００３５】
本実施の形態の絵本は、図１に示す実施の形態の絵本において、貼り部１１、１２により本部材１、２の表面前面を覆った構成を有する。
すなわち、図１０において、頁を構成する本部材１０１と、本部材１０１の端辺１０１ａに設けられ他の本部材１０２の端辺１０２ａと結合されるつなぎ部１１３を備える。つなぎ部１１３は、本部材１０１の端辺１０１ａからノド部１０３ａまでの距離が所定の距離１００を有する。所定の距離１００は、本部材１０１、１０２を積層させた厚さの半分である。
【００３６】
つなぎ部１１３は、少なくとも２つの本部材１０１、１０２を結合している。なお、ノド部１０３ａは、頁を構成する本部材１０１、１０２を見開いたときの中心部である。すなわち、ノド部１０３ａは、つなぎ部１１３における、本部材１０１の端辺１０１ａから本部材１０２の端辺１０２ａまでの距離の１／２に位置する、端辺１０１ａ（１０２ａ）  に沿った部分である。したがって、つなぎ部１１３は、本部材１０１（１０２）の端辺１０１ａ（１０２ａ）からノド部１０３ａまでの距離が本部材１０１、１０２を積層された厚さの半分である所定の距離１００を有する。
【００３７】
つなぎ部１１３は、本部材１０１の短辺１０１ａを上下にわたって貼り付けた貼り部１０６、１０８と、本部材１０２の短辺１０２ａを上下にわたって貼り付けた貼り部１０７、１０９と、貼り部１０６、１０７、１０８、１０９を繋ぐ繋ぎ生地９８、９９とから構成される。したがって、本実施の形態では、つなぎ部１１３の幅、つなぎ部１１４の幅は、それぞれ、貼り部１０６、１０７の幅、貼り部１０８、１０９の幅と、繋ぎ生地９８、繋ぎ生地９９の幅とを合計した長さとなる。
【００３８】
本実施の形態では、貼り部１０６、１０８、貼り部１０７、１０９のそれぞれが、本部材１０１、本部材１０２のそれぞれを覆っているので、つなぎ部１１３、つなぎ部１１４の幅は、本部材１０１の幅、本部材１０２の幅と、繋ぎ生地９８、繋ぎ生地９９の幅とを合計した長さとほぼ同じになる。
【００３９】
本実施の形態では、貼り部１０６、１０７、１０８、１０９が本部材１０１、１０２の全面を覆っているので、本部材１０１、１０２の表全面の補強や汚れ防止が可能である。
【００４０】
さらに、本実施の形態では、本部材１０１、１０２の表面に印刷や押し箔など文様を施し、不透明な生地からなる貼り部１０６、１０７、１０８、１０９で本部材１０１、１０２の表面の一部を覆うことにより、文様が重なるので、立体感の得られる本が得られる。
【００４１】
また、印刷や押し箔で文様などを施した生地からなる透明な生地の貼り部１０６、１０７、１０８、１０９で、表面に印刷や押し箔などで文様を施こした本部材１０１、１０２の表面の一部を覆うことにより、いろいろな文様の、さらに複雑な模様を得ることが可能になる。
【００４２】
図１０に示す構成により単位部材Ａからなる絵本が完成する。多数の単位部材Ａを用意し、それぞれのノド部１０３ａで接合する。接合の方法は、綴じる、あるいは糸や紐、あるいは、接着材や粘着剤などで、あるいは熱溶着で可能である。補強や汚れ防止のための他に、本部材の生産と関係せずに、単位部材Ａを多数作成しておくことにより、独自に作り置きが出来るのでコストの削減が可能である。
【００４３】
（実施の形態４）
図１１は、本発明のさらに別の実施の形態の絵本の要部を示す正面図である。
【００４４】
本実施の形態では、透明の貼り部１０６と貼り部１０８（図１１では裏側のため図示せず）により袋状の挿入スペース１３１が形成され、透明の貼り部１０７と貼り部１０９（図１１では裏側のため図示せず）により袋状の挿入スペース１３２が形成されている。
さらに、貼り部１０６の繋ぎ生地９８側に、本部材１０１の挿入口１３４が形成されている。同様に、貼り部１０７の繋ぎ生地９８側に、本部材１０２の挿入口１３５が形成されている。挿入口１３４、１３５はスリット状に形成されており、本部材１０１、１０２が挿入できるような大きさを有している。さらに、図１１では裏側になるために図示していないが、貼り部１０８の繋ぎ生地９８側に、本部材１０１の他の挿入口が形成され、貼り部１０９の繋ぎ生地９８側に、本部材１０２の他の挿入口が形成されている。
【００４５】
このような構成により、本部材１０１、１０２を挿入口１３４、１３５から交換するだけでさまざまな絵本が得られる。表裏に挿入口を形成することにより、４つの本部材の交換が可能となる。
【００４６】
本実施の形態においても、図１０に示す実施の形態と同様に、貼り部１０６、１０７、１０８、１０９、および本部材１０１、１０２を、透明にしたり不透明にしたり、印刷や押し箔など文様を施すことにより、立体感のある絵本が可能となる。
【００４７】
また、本実施の形態においても、図１１に示す単位部材Ｂを複数個用意し、ノド部１０３ａで接合することにより、各種の物語の絵本を構成できる。
【００４８】
（実施の形態５）
図１２は、本発明のまたさらに他の実施の形態を示す平面図である。
【００４９】
本実施の形態では、つなぎ部１１３、１１４を、貼り部１２１、１２２、１２３、１２４と繋ぎ生地９８、９９を収縮性の生地を用いて貼り合わせる。本部材１０１の端辺１０１ａから本部材１０２の端辺１０２ａまでの距離の部分、すなわち繋ぎ生地９８、９９が収縮性の生地であれば良い。本部材１０１の端辺１０１ａ、から本部材１０２の端辺１０２ａ、までの距離の１／２に位置するノド部１０３ａを中心線として単位部材Ｃを作る。また、複数の単位部材Ｃをノド部１０３ａで接合する。接合の方法は、綴じる、あるいは糸や紐で或いは、接着材や粘着剤などで結合させる、あるいは熱で溶着する。
【００５０】
図１３は、図１２で示す単位部材Ｃを２つ綴じた絵本を示す平面図である。本実施の形態では、本部材１０１と本部材１０２とを繋ぐつなぎ部１１３、１１４、および本部材１０４と本部材１０５とを繋ぐつなぎ部１１５、１１６に収縮性を有する生地を使用している。
【００５１】
このような構成により、本の背１４５の部分が、伸びて皺をなくすることができる。また、内側の繋ぎ生地９８、９９、１１７、１１８が本部材１０４、１０５の端辺１０４ａ、１０５ａから中心ノド部１０３ａまでの距離が収縮性の生地を使うことで短縮でき、本の小口が整いやすくなり、本部材１０１、１０２が積層された厚さを薄くすることができる。
【００５２】
（実施の形態６）
図１４は本発明のまたさらに別の実施の形態を示す平面図である。
【００５３】
本部材１０１、１０２を、つなぎ部１１３、１１４の繋ぎ生地９８、９９で、端辺１０１ａ、１０２ａを繋いで単位部材Ｅを構成する。繋ぎ生地９８、９９の中心線であるノド部１０３ａに、上下にわたる中空部１２８を設けて、繋ぎ生地９８、９９を貼り合わせる。中空部１２８には、糸、紐、針金、などの差し込み材を差し込む事により、複数の単位部材Ｅを綴じることができる。なお、繋ぎ生地９８、９９を貼り合わせる際に、事前にノド部１０３ａに、糸、紐、針金、などの差し込み材を配置して貼り合わせることも可能である。いずれの場合でも、差し込み材は、本部材１０１、１０２の上下から出せる長さであり、本部材１０１、１０２の上下から出た差し込み材は、これらを結合したり束ねたりすることにより複数の単位部材Ｅを綴じることができる。
【００５４】
なお、各実施の形態において、所定の距離７、２８、３８、７８、８８、９８、１００は、それぞれ、本部材１、２、２１、２２、３１〜３４、７１〜７４、８１、９１、１０１、１０２、１０４、１０５を積層させた厚さの半分より大きくてもかまわないが、本の背部分が膨らまない程度にするのが好ましい。
【００５５】
また、エンドレスストーリーは上記した内容に限らず、海と雲による水の循環、種子と植物の循環など、あるいは絵本に限らず普通の小説や物語など、種々のものに適用できる。
【産業上の利用可能性】
【００５６】
本発明は、表表紙および裏表紙がなく、終わりのないストーリーの絵本などを作成することができるので、絵本や本などに有用である。
【符号の説明】
【００５７】
１、２、２１、２２、３１〜３４、７１〜７４、８１、９１、１０１、１０２、１０４、１０５  本部材
１ａ、２ａ、３ａ、２５ａ、３５ａ、７５ｅ、８２ａ、９２ａ、１０３ａ  ノド部
２１ａ、２２ａ、３１ａ〜３４ａ、７１ａ〜７４ａ、８１ａ、９１ａ、１０１ａ、１０２ａ、１０４ａ、１０５ａ  端辺
３、２５、３５、７５、８２、９２、１１３〜１１６  つなぎ部
７、２８、３８、７８、８８、９８、１００  所定の距離
１３、２３、３６、３９、７６、８４、９４、９８、９９、１１７、１１８  繋ぎ生地  
１１、１２、２９、３０、３６、３７、７７〜８０、８３、９３、１０６〜１０９、１２１〜１２４  貼り部
２６、２７  薄紙
７５ａ〜７５ｄ  つなぎ片
８５  中空部
８６  差し込み部材
９５  折り返し部
１２８  中空部
１３４、１３５  挿入口
１４５  背
Ａ、Ｂ、Ｃ、Ｅ、Ｋ、Ｌ、Ｍ、Ｎ  単位部材
【図１】
2020179664.tif 000003
【図２】
2020179664.tif 000004
【図３】
2020179664.tif 000005
【図４】
2020179664.tif 000006
【図５】
2020179664.tif 000007
【図６】
2020179664.tif 000008
【図７】
2020179664.tif 000009
【図８】
2020179664.tif 000010
【図９】
2020179664.tif 000011
【図１０】
2020179664.tif 000012
【図１１】
2020179664.tif 000013
【図１２】
2020179664.tif 000014
【図１３】
2020179664.tif 000015
【図１４】
2020179664.tif 000016
【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
物語を構成する頁を構成する本部材と、前記本部材の端辺に設けられ他の前記本部材の端辺と結合されるつなぎ部とを備え、前記つなぎ部は、少なくとも２つの前記本部材を結合し、前記本部材の端辺からノド部までの距離が各前記本部材で同じ所定の距離を有する本。
【請求項２】
前記所定の距離が、前記本部材を積層させた厚さの半分を有する請求の範囲第１項記載の本。
【請求項３】
前記つなぎ部は、前記少なくとも２つの前記本部材を３６０度回動自在に結合する請求項１記載の本。
【手続補正書】
【提出日】令和2年5月25日(2020.5.25)
【手続補正１】
【補正対象書類名】特許請求の範囲
【補正対象項目名】請求項１
【補正方法】変更
【補正の内容】
【請求項１】
物語を構成する頁を構成する本部材と、前記本部材の端辺に設けられ他の前記本部材の端辺と結合されるつなぎ部とを備え、前記つなぎ部は、前記本部材の端辺を上下にわたって貼り付けた貼り部と、他の前記本部材の端辺を上下にわたって貼り付けた貼り部とを繋ぐ繋ぎ生地を備えており、少なくとも２つの前記本部材を結合し、前記本部材の端辺からノド部までの距離が各前記本部材で同じ所定の距離を有する本。
【手続補正２】
【補正対象書類名】明細書
【補正対象項目名】００５７
【補正方法】変更
【補正の内容】
【００５７】
１、２、２１、２２、３１〜３４、７１〜７４、８１、９１、１０１、１０２、１０４、１０５  本部材
３ａ、２５ａ、３５ａ、７５ｅ、８２ａ、９２ａ、１０３ａ  ノド部
１ａ、２ａ、２１ａ、２２ａ、３１ａ〜３４ａ、７１ａ〜７４ａ、８１ａ、９１ａ、１０１ａ、１０２ａ、１０４ａ、１０５ａ  端辺
３、２５、３５、７５、８２、９２、１１３〜１１６  つなぎ部
７、２８、３８、７８、８８、９８、１００  所定の距離
１３、２３、３６、３９、７６、８４、９４、９９、１１７、１１８  繋ぎ生地  
１１、１２、２９、３０、３６、３７、７７〜８０、８３、９３、１０６〜１０９、１２１〜１２４  貼り部
２６、２７  薄紙
７５ａ〜７５ｄ  つなぎ片
８５  中空部
８６  差し込み部材
９５  折り返し部
１２８  中空部
１３４、１３５  挿入口
１４５  背
Ａ、Ｂ、Ｃ、Ｅ、Ｋ、Ｌ、Ｍ、Ｎ  単位部材